(57)【要約】【課題】屋上階で吹く風による排水管路の圧力変動を抑制できる排水管路の通気口構造を提供すること【解決手段】本発明の排水管路の通気口構造では、排水管路９の上端側を構成して、上端の開口を排水管路９の通気口１２とするように、屋上階１から上方へ突出される通気筒部１１と、通気口１２の通気性を確保し、通気筒部１１内への異物の侵入を防止可能に通気口１２を上方から覆って、通気筒部１１に取り付けられるベントキャップ１４と、を設けて構成される。通気口１２付近の通気筒部１１とベントキャップ１４との外周側には、遮蔽部材２６が、配設される。遮蔽部材２６は、通気性を確保し、かつ、通気口１２付近に侵入する風Ｗの流速を低減可能とするもので、内外周を貫通する多数の貫通孔２８を設けた筒体２７から構成されている。【選択図】図１
2006299636.tif 000002
【特許請求の範囲】
【請求項１】
排水管路の上端側を構成して、上端の開口を前記排水管路の通気口とするように、屋上階から上方へ突出される通気筒部と、
前記通気口の通気性を確保し、前記通気筒部内への異物の侵入を防止可能に前記通気口を上方から覆って、前記通気筒部に取り付けられるベントキャップと、を設けて構成される排水管路の通気口構造であって、
前記通気筒部若しくは前記ベントキャップに、風による前記排水管路の圧力変動を抑制可能な圧力変動抑制手段が、配設されていることを特徴とする排水管路の通気口構造。
【請求項２】
前記通気口付近の前記通気筒部と前記ベントキャップとの外周を覆うように配設されて、通気性を確保し、かつ、前記通気口付近に侵入する風の流速を低減可能な遮蔽部材が、配設され、
該遮蔽部材が、前記圧力変動抑制手段を構成していることを特徴とする請求項１に記載の排水管路の通気口構造。
【請求項３】
前記遮蔽部材が、前記通気筒部と同心的に配置される筒体から形成されるとともに、内外周を貫通する多数の貫通孔を備えて、構成されていることを特徴とする請求項２に記載の排水管路の通気口構造。
【請求項４】
前記遮蔽部材が、上下方向に沿った平面を有した複数の囲い板を、前記通気口の周囲に、断続的に配設させて、構成されていることを特徴とする請求項２に記載の排水管路の通気口構造。
【請求項５】
前記通気筒部における屋上階から突出した前記通気口までの範囲の部位に、屋上階で吹く風を流入させる流入口部と、流入した風を流出させる流出口部と、を設け、
屋上階で吹く風を前記流入口部から流入させて前記流出口部から流出される風流路が、前記圧力変動抑制手段を構成していることを特徴とする請求項１に記載の排水管路の通気口構造。
【請求項６】
前記流入口部と前記流出口部とが、開口方向を、前記通気筒部の軸心を中心として、略点対称の方向として、配置されるとともに、高さを異ならせて配置されていることを特徴とする請求項５に記載の排水管路の通気口構造。
【請求項７】
前記ベントキャップの下縁外周の略全周に、前記通気筒部の軸直交方向に延びる庇部が、形成され、
該庇部が、前記ベントキャップの上面側から下方側へ流れる風の負圧を、前記通気口付近へ作用させることを防止可能として、前記圧力変動抑制手段を構成していることを特徴とする請求項１に記載の排水管路の通気口構造。
【発明の詳細な説明】
【技術分野】
【０００１】
本発明は、建物に設けられた排水管路の上端側に配設されて、排水時の排水管路内の圧力変動を抑えるように構成された排水管路の通気口構造に関する。
【背景技術】
【０００２】
従来、排水管路における建物の屋上階には、排水管路内の圧力変動を抑えるように、排水管路の通気口を開口させていた。そして、具体的には、この排水管路の通気口構造は、排水管路の上端側を構成して、上端の開口を排水管路の通気口とするように、屋上階から上方へ突出される通気筒部を設け、さらに、通気筒部内への異物や雨等の侵入を防止可能に、通気口を上方から覆うように、ベントキャップを、通気口の通気性を確保しつつ、通気筒部に取り付けて、構成されていた（例えば、特許文献１参照）。
【特許文献１】特開２００３−５６０３１号公報
【発明の開示】
【発明が解決しようとする課題】
【０００３】
しかし、従来の排水管路の通気口構造では、排水管路が高層の建物に設けられている場合、屋上階で吹く風の影響により、通気口から空気を抜くように、通気口付近に負圧を生じさせたり、あるいは、通気口から空気を圧送するように、通気口付近に正圧を生じさせて、排水管路内に圧力変動を生じさせる場合があった。例えば、風速８ｍ／ｓ程度で、±４００Ｐａの圧力変動を生じさせてしまう場合があった。そして、排水管路内の圧力変動が大きければ、排水機器の封水トラップの破封を招いてしまい、好ましくない。
【０００４】
本発明は、上述の課題を解決するものであり、屋上階で吹く風による排水管路の圧力変動を抑制できる排水管路の通気口構造を提供することを目的とする。
【課題を解決するための手段】
【０００５】
本発明に係る排水管路の通気口構造では、排水管路の上端側を構成して、上端の開口を排水管路の通気口とするように、屋上階から上方へ突出される通気筒部と、
通気口の通気性を確保し、通気筒部内への異物の侵入を防止可能に通気口を上方から覆って、通気筒部に取り付けられるベントキャップと、を設けて構成される排水管路の通気口構造であって、
通気筒部若しくはベントキャップに、風による排水管路の圧力変動を抑制可能な圧力変動抑制手段が、配設されていることを特徴とする。
【０００６】
本発明に係る排水管路の通気口構造では、通気筒部若しくはベントキャップに、風による排水管路の圧力変動を抑制可能な圧力変動抑制手段が、配設されていることから、屋上階で強風が吹いても、排水管路に、所定以上の負圧や正圧を作用させず、排水機器の封水トラップの破封を防止できる。
【０００７】
したがって、本発明に係る排水管路の通気口構造では、屋上階で吹く風による排水管路の圧力変動を抑制でき、封水トラップの破封を防止できる。
【０００８】
圧力変動抑制手段としては、通気口付近の通気筒部とベントキャップとの外周を覆うように配設させる遮蔽部材を、利用することができる。この遮蔽部材は、通気性を確保し、かつ、通気口付近に侵入する風の流速を低減可能とするものである。
【０００９】
そして、例えば、通気筒部と同心的に配置される筒体から構成し、この筒体に、内外周を貫通する多数の貫通孔を設けて、遮蔽部材を構成することができる。このような構成では、通気筒部の通気口の周囲に、風が侵入してきても、筒体の貫通孔を経て侵入することから、風速が弱められて、排水管路に作用させる負圧や正圧を抑制できる。なお、この場合の筒体は、所定の板状素材に円形や多角形に開口する貫通孔を設け、そして、板状素材を曲げて筒状に形成したり、あるいは、多孔質の材料を筒状に加工して、形成することができる。さらに、貫通孔は、肉眼で容易に目視できるように開口されていなくともよい。例えば、グラスウール等の綿状の部材や連続気泡のスポンジ状の部材、あるいは、セラミック等の多孔質体を利用し、空気が筒体の内外周を通過可能な通気性を確保して、筒体の貫通孔は、構成されていてもよい。
【００１０】
また、遮蔽部材は、上下方向に沿った平面を有した複数の囲い板を、通気口の周囲に、断続的に配設させて、構成してもよい。このような構成でも、通気口付近に直線的に侵入しようとする風が、囲い板と干渉して、速度を弱められることから、排水管路に作用させる負圧や正圧を抑制できる。
【００１１】
さらに、通気筒部における屋上階から突出した通気口までの範囲の部位に、屋上階で吹く風を流入させる流入口部と、流入した風を流出させる流出口部と、を設け、屋上階で吹く風を、流入口部から流入させ、そして、流出口部から流出される風流路によって、圧力変動抑制手段を構成するようにしてもよい。
【００１２】
このような構成では、排水管路の通気口に至るまでの管路において、風流路を流れる風により、通気口付近自体に作用する風による負圧や正圧を、風流路付近で遮断することができて、風流路より下方の排水管路での圧力変動を抑制できることとなる。
【００１３】
ちなみに、風流路の流入口部と流出口部とは、開口方向を、通気筒部の軸心を中心として、略点対称の方向として、配置するとともに、高さを異ならせて配置すれば、通気筒部内で長い風流路を確保できて、通気口付近自体に作用する風による負圧や正圧を、安定して、風流路付近で遮断することができる。
【００１４】
さらに、ベントキャップの下縁外周の略全周に、通気筒部の軸直交方向に延びる庇部を、形成し、この庇部を圧力変動抑制手段として、ベントキャップの上面側から下方側へ流れる風の負圧が、通気口付近へ作用させることを防止するように、構成してもよい。このような構成では、ベントキャップの上面側を流れる風が、背面側で、負圧を生じさせることに着目し、その負圧を、庇部によって遮断して、通気口に作用させないように、構成することが可能となる。
【発明を実施するための最良の形態】
【００１５】
以下、本発明の一実施形態を図面に基づいて説明すると、第１実施形態の排水管路の通気口構造は、図１に示すように、排水管路９の上端側を構成して、上端の開口を排水管路９の通気口１２とするように、屋上階１から上方へ突出される通気筒部１１を設け、さらに、通気筒部１１内への異物や雨等の侵入を防止可能に、通気口１２を上方から覆うように、ベントキャップ１４を、通気口１２の通気性を確保しつつ、通気筒部１１に取り付け、さらに、圧力変動抑制手段Ｓを通気筒部１１に取り付けて、構成されている。
【００１６】
実施形態の場合、通気筒部１１は、防水継手７の上部から構成されている。防水継手７は、建物の屋上階１におけるコンクリートスラブ２を貫通する通気管１０の上端と接続され、複数の取付孔８ａを有した円環状の取付座部８と、取付座部８の中央から上方へ立ち上がる円筒状の通気筒部１１と、を備えて構成されている。通気筒部１１の外周面１１ａには、屋上階１の上面２ａに施工された防水シート５が、立ち上げられるとともに巻き付けられ、そして、銅線等の締結材６を利用して、固定されている。
【００１７】
なお、屋上階１のコンクリートスラブ２と通気管１０との間には、スペーサ４が介在され、さらに、スペーサ３の上面側には、防水継手７をビス止めするための打込治具４が固定されている。
【００１８】
ベントキャップ１４は、金属製として、カバー部１５、網１６、及び、取付部１７、を備えて構成されている。カバー部１５は、通気口１２の通気性を確保して、通気口１２の上方を覆うように、通気筒部１１の外径寸法より大きな内径寸法の略半球状としている。
【００１９】
カバー部１５の外周縁には、通気筒部１１の軸直交方向に突設される支持部１５ａと取付片部１５ｃとが、配設されている。支持部１５ａは、支持ボルト１６を軸心として、カバー部１５を取付部１７に対して水平方向に沿って回動可能に支持させるように、ナット１７と螺合する支持ボルト１６を挿通させる挿通孔１５ｂが、上下方向に貫通されている。取付片部１５ｃには、蝶ねじからなる取付ボルト１８を挿入させる凹溝１５ｄが形成され、凹溝１５ｄは、取付片部１５ｃの背面側から正面側に凹むように、形成されている。
【００２０】
取付部２０は、通気筒部１１の外周面１１ａとカバー部１５との間を塞ぐように配置される円環状の天板部２１と、天板部２１の内周縁付近から下方へ突出して、通気筒部１１の上端に外嵌可能な円筒状の筒部２２と、を備えて構成されている。天板部２１は、内径寸法を通気口１２と等しくして円形に開口する中央孔２１ａを備えるとともに、通気口１２の通気性を確保するために、多数の上下方向に貫通する貫通孔２１ｂが形成されている。さらに、天板部２１には、外周縁に、カバー部１５の支持部１５ａや取付片部１５ｃと対応する支持部２１ｃと取付片部２１ｅとが、突設されている。支持部２１ｃには、支持ボルト１６を挿通させる挿通孔２１ｄが形成され、取付片部２１ｅには、取付ねじ１８が螺合するねじ孔２１ｆが形成されている。
【００２１】
そして、筒部２２には、取付部２０を通気筒部１１の上端を外嵌させて、ベントキャップ１４を通気筒部１１の上端に取り付けるための取付ねじ２４を螺合させる複数のねじ孔２２ａが、配設されている。なお、ベントキャップ１４を通気筒部１１の上端に取り付ける際には、通気筒部１１の上端面は、天板部２１の下面の中央孔２１ａの周縁に、当接する。
【００２２】
また、網１９は、貫通孔２１ｂからの鳥等の小動物等の侵入を防ぐもので、天板部２１の上面とカバー部１５の下端面との間に、配設されている。
【００２３】
そして、第１実施形態の排水管路９の通気口構造では、図１・２に示すように、圧力変動抑制手段Ｓとして、通気口１２付近の通気筒部１１とベントキャップ１４との外周を覆うように、遮蔽部材２６を配設させている。この遮蔽部材２６は、通気性を確保し、かつ、通気口１２付近に侵入する風Ｗの流速を低減可能とするものである。
【００２４】
第１実施形態の遮蔽部材２６は、通気筒部１１と同心的に配置される金属製の円筒状の筒体２７から形成されている。この筒体２７には、内外周を貫通するように円形に開口した多数の貫通孔２８が、設けられている。
【００２５】
さらに、筒体２７には、通気筒部１１に取り付けるための複数の取付部材２９が、設けられている。取付部材２９は、ずれ防止用の防振ゴム等からなる弾性材２９ｂを先端に設けた取付ボルト２９ａと、筒体２７に設けたナットからなるねじ孔２９ｃと、からなり、先端の弾性材２９ｂ側を通気筒部１１の外周面１１ａや防水シート５に押し付けるように、ねじ孔２９ｃに螺合させた取付ボルト２９ａを締め付けることにより、遮蔽部材２６を通気筒部１１に取り付けている。
【００２６】
第１実施形態の通気口構造では、通気筒部１１の通気口１２の周囲に、風Ｗが侵入してきても、遮蔽部材２６を構成する筒体２７の貫通孔２８を経て侵入することから、風速が弱められて、排水管路９に作用させる負圧や正圧を抑制できる。
【００２７】
したがって、第１実施形態の排水管路９の通気口構造では、屋上階で吹く風Ｗによる排水管路９の圧力変動を抑制できて、排水機器の封水トラップの破封を防止することができる。
【００２８】
なお、この場合の筒体２７は、所定の板状素材に円形や多角形に開口する貫通孔２８を設け、そして、板状素材を曲げて筒状に形成したり、あるいは、多孔質の材料を筒状に加工して、形成することができる。さらに、貫通孔２８は、肉眼で容易に目視できるように開口されていなくともよい。例えば、グラスウール等の綿状の部材や連続気泡のスポンジ状の部材、あるいは、セラミック等の多孔質体を利用し、空気が筒体２７の内外周を通過可能な通気性を確保して、筒体２７の貫通孔２８が、構成されていてもよい。
【００２９】
また、遮蔽部材としては、図３・４に示す第２実施形態のように構成してもよい。この第２実施形態の遮蔽部材３１は、上下方向に沿った平面を有した複数（実施形態では４枚）の囲い板３２を、通気口１２の周囲における前後左右に、断続的に配設させて、構成している。各囲い板３２は、Ｌ字状のブラケット３４にって結合され、それぞれ、第１実施形態と同様な取付部材２９が、配設されている。
【００３０】
この第２実施形態の通気口構造でも、通気口１２付近に直線的に侵入しようとする風Ｗが、囲い板３２と干渉して、速度を弱められ、囲い板３２間の隙間３３から侵入することとなるため、排水管路９に作用させる負圧や正圧を抑制できる。
【００３１】
さらに、圧力変動抑制手段としては、図５・６に示す第３実施形態のように構成してもよい。この第３実施形態では、通気筒部１１における屋上階１から突出した通気口１２までの範囲の部位に、屋上階１で吹く風Ｗを流入させる流入口部３７と、流入した風Ｗを流出させる流出口部３８と、を設け、屋上階１で吹く風Ｗを、流入口部３７から流入させ、そして、流出口部３８から流出される風流路３６によって、圧力変動抑制手段Ｓを構成している。
【００３２】
流入口部３７と流出口部３８とは、第３実施形態の場合、水平方向に開口端を突出させた横枝管部４１を円筒状の胴部４０から突出させた管継手３９から、形成されている。そして、通気筒部１１を分断し、分断した管端を胴部４０の上下に挿入させて、ボルト４２止めして、管継手３９・３９が、通気筒部１１に配設されている。
【００３３】
この第３実施形態の通気口構造では、排水管路９の通気口１２に至るまでの管路において、風流路３６を流れる風Ｗにより、通気口１２付近自体に作用する風による負圧や正圧を、風流路３６付近で遮断することができて、風流路３６より下方の排水管路９での圧力変動を抑制できることとなる。
【００３４】
また、第３実施形態では、風流路３６の流入口部３７と流出口部３８とが、開口方向を、通気筒部１１の軸心を中心として、略点対称の方向として、配置されるとともに、高さを異ならせて配置されている。そのため、通気筒部１１内で長い風流路３６を確保できて、通気口１２付近自体に作用する風Ｗによる負圧や正圧を、安定して、風流路３６付近で遮断することができる。
【００３５】
なお、上記の点を考慮しなければ、図７や図８に示すように、同一の高さの複数の横枝管部４１を胴部４０から突出させた管継手３９Ａ・３９Ｂ・３９Ｃを使用してもよい。管継手３９Ａは、胴部４０を中心として９０度ずつずれて配置された四つの横枝管部４１を備えて構成され、管継手３９Ｂは、４５度〜９０度程度に角度を変えた二つの横枝管部４１を備えて構成され、管継手３９Ｃは、６０度ずつずれた六つの横枝管部４１を備えて構成されている。
【００３６】
これらの管継手３９Ａ・３９Ｂ・３９Ｃは、通気筒部１１に、一つ、若しくは、適宜組み合わせて、直列的に、複数、設けてもよい。さらに、横枝管部４１の配置は、排水管路９の設けられる屋上階１に吹く風が、所定方向に向いて吹く機会が多い場合には、その風の吹く方向に対向して、所定の横枝管部４１を流入口部３７として開口させ、その略反対方向の所定の横枝管部４１を流出口部３８として開口させて、他の横枝管部４１を適宜塞ぐように、構成してもよい。勿論、この場合、流入口部３７や流出口部３８は、それぞれ、複数の横枝管部４１から、構成してもよい。
【００３７】
さらに、圧力変動抑制手段Ｓとしては、図９・１０に示す第４実施形態のように、構成してもよい。この第４実施形態では、ベントキャップ１４Ａの下縁外周の全周に、通気筒部１１の軸直交方向に延びる庇部４４を、形成し、この庇部４４を圧力変動抑制手段Ｓとしている。なお、このベントキャップ１４Ａは、第１〜３実施形態のベントキャップ１４と略同様な構成であって、天板部２１の外周縁が、長く延びて円環状の庇部４４を形成した点が、ベントキャップ１４と相違するだけであり、他の同様な部位・部材には、第１実施形態と同様の符号を付して説明を省略する。
【００３８】
この庇部４４は、第４実施形態の場合、キャップ１１の直径方向の長さを、貫通孔２１ｂの配置領域と略等しい長さとして、形成されて、ベントキャップ１４Ａの上面１４ａ側から下方側へ流れる風Ｗの負圧が、通気口１２付近へ作用することを防止できるように、設定されている。
【００３９】
この第４実施形態の通気口構造では、ベントキャップ１４Ａの上面１４ａ側を流れる風Ｗが、背面側で、負圧を生じさせることに着目し、その負圧を、庇部４４によって遮断して、通気口１２に作用させないように、構成することができる。そのため、第４実施形態の通気口構造でも、排水管路９の圧力変動を抑制できて、排水機器の封水トラップの破封を防止することができる。
【図面の簡単な説明】
【００４０】
【図１】本発明の第１実施形態の排水管路の通気口構造を示す概略部分縦断面図である。
【図２】第１実施形態に使用する遮蔽部材の平面図である。
【図３】第２実施形態の排水管路の通気口構造を示す概略正面図である。
【図４】第２実施形態に使用する遮蔽部材の平面図である。
【図５】第３実施形態の排水管路の通気口構造を示す概略部分正面図である。
【図６】第３実施形態の通気口構造を示す概略部分縦断面図である。
【図７】第３実施形態の変形例を示す図である。
【図８】第３実施形態のさらに他の変形例を示す図である。
【図９】第４実施形態の排水管路の通気口構造を示す概略部分正面図である。
【図１０】第４実施形態のベントキャップの平面図である。
【符号の説明】
【００４１】
１…屋上階、
９…排水管路、
１０…通気管、
１１…通気筒部、
１２…通気口、
１４・１４Ａ…ベントキャップ、
２６・３１…遮蔽部材、
２７…筒体、
３２…囲い板、
３６…風流路、
３７…流入口部、
３８…流出口部、
４４…庇部、
Ｓ…圧力変動抑制手段、
Ｗ…風。
【図１】
2006299636.tif 000003
【図２】
2006299636.tif 000004
【図３】
2006299636.tif 000005
【図４】
2006299636.tif 000006
【図５】
2006299636.tif 000007
【図６】
2006299636.tif 000008
【図７】
2006299636.tif 000009
【図８】
2006299636.tif 000010
【図９】
2006299636.tif 000011
【図１０】
2006299636.tif 000012